(57)【要約】【課題】天井または壁に設置するスピーカ機器を使用して、臨場感を向上させること、或いは人間の音声を聞き取り易くすることが可能な音声再生システムを提供する。【解決手段】本発明の音声再生システムは、音声信号のソースとなるソース機器と、音声信号が示す音声を出力する複数のスピーカ部を有するソース側スピーカ機器と、無線送信機１と、ソース側スピーカ機器の他に天井または壁に設置するための追加のスピーカ機器２とを備える。無線送信機１またはソース機器は、上記音声信号のうち特定の音声信号成分を他の音声信号成分より強調する処理を行う特定成分強調部を有する。無線送信機１は、上記処理後の信号を無線で送信する。追加のスピーカ機器２は、上記信号を無線で受信する無線受信部と、受信した上記信号が示す音声を出力するスピーカ部とを有する。【選択図】図１
2015065551.tif 000002
【特許請求の範囲】
【請求項１】
音声信号のソースとなるソース機器と、該音声信号が示す音声を出力する複数のスピーカ部を有するソース側スピーカ機器とを備えた音声再生システムであって、
無線送信機と、前記ソース側スピーカ機器の他に天井または壁に設置するための追加のスピーカ機器とをさらに備え、
前記無線送信機または前記ソース機器は、前記音声信号のうち特定の音声信号成分を他の音声信号成分より強調する処理を行う特定成分強調部を有し、
前記無線送信機は、前記特定成分強調部で処理後の信号を無線で送信し、
前記追加のスピーカ機器は、前記処理後の信号を無線で受信する無線受信部と、受信した前記処理後の信号が示す音声を出力するスピーカ部とを有することを特徴とする音声再生システム。
【請求項２】
音声信号のソースとなるソース機器と、該音声信号が示す音声を出力する複数のスピーカ部を有するソース側スピーカ機器とを備えた音声再生システムであって、
前記音声信号を無線で送信する無線送信機と、前記ソース側スピーカ機器の他に天井または壁に設置するための追加のスピーカ機器とをさらに備え、
前記追加のスピーカ機器は、前記無線送信機で送信された前記音声信号を無線で受信する無線受信部と、受信した前記音声信号のうち特定の音声信号成分を他の音声信号成分より強調する処理を行う特定成分強調部と、該処理が施された後の信号が示す音声を出力するスピーカ部とを有することを特徴とする音声再生システム。
【請求項３】
前記音声信号は、右チャネル信号と左チャネル信号からなるステレオ信号であり、
前記特定成分強調部は、前記音声信号のうち前記右チャネル信号と前記左チャネル信号の片方にしか含まれない信号成分を強調する処理を行うことを特徴とする請求項１または２に記載の音声再生システム。
【請求項４】
前記音声信号は、右チャネル信号と左チャネル信号からなるステレオ信号であり、
前記特定成分強調部は、前記音声信号のうち前記右チャネル信号と前記左チャネル信号の両方に含まれる信号成分を強調する処理を行うことを特徴とする請求項１または２に記載の音声再生システム。
【請求項５】
前記音声信号は、右チャネル信号と左チャネル信号からなるステレオ信号であり、
前記特定成分強調部は、前記音声信号のうち前記右チャネル信号と前記左チャネル信号の片方にしか含まれない信号成分を強調する処理と、前記音声信号のうち前記右チャネル信号と前記左チャネル信号の両方に含まれる信号成分を強調する処理とで、実行する処理を切り替えるスイッチを有することを特徴とする請求項１または２に記載の音声再生システム。
【発明の詳細な説明】
【技術分野】
【０００１】
本発明は、音声再生システムに関し、より詳細には、音声信号を無線で通信してその音声信号が示す音声をスピーカ機器から出力する音声再生システムに関する。
【背景技術】
【０００２】
従来から、屋内の天井や壁に設置された照明取付具を介して電源電力の供給を受けて、無線送信された音声信号を受信し、その音声信号が示す音声を出力するスピーカシステムが提案されている（例えば、特許文献１を参照）。特許文献１に記載の技術では、ケーブルを露出させることなく屋内の天井にスピーカ機器を配置することが可能となっている。
【０００３】
また、従来から提案されている音響再生方式には、ステレオ（２ｃｈ）方式、５.１ｃｈサラウンド方式（ＩＴＵ−Ｒ  ＢＳ.７７５−１）などがあり広く民生用として普及している。２ｃｈ方式とは、左スピーカと右スピーカから異なる音声データを発生させる方式である。２ｃｈ方式や５.１ｃｈサラウンド方式の他にも、７.１ｃｈ、９.１ｃｈ、２２.２ｃｈなどさまざまな音響再生方式が提案されている。上述した方式はいずれも、聴取者（受聴者）を中心とする円周上または球面上に各スピーカを配置し、理想的には各スピーカから等距離にある聴取位置（受聴位置）、いわゆるスイートスポットで聴くことが好ましいとされている。スイートスポットで聴くと、音圧のバランスによる合成音像が製作者の意図するところに定位する。逆に、スイートスポット以外の位置で聴くと、一般的に、音像・音質が劣化する。以下、これらの方式を総称してマルチチャネル再生方式と呼ぶ。
【０００４】
一方、マルチチャネル再生方式とは別に、音源オブジェクト指向再生方式もある。この方式は、全ての音が、いずれかの音源オブジェクトが発する音であるとする方式であり、各音源オブジェクト（以下、「仮想音源」と呼ぶ。）が自身の位置情報と音声信号とを含んでいる。音楽コンテンツを例にとると、各仮想音源は、それぞれの楽器の音と楽器が配置されている位置情報とを含む。
【０００５】
そして、音源オブジェクト指向再生方式は、通常、直線状あるいは面状に並べたスピーカ群によって音の波面を合成する再生方式（すなわち波面合成再生方式）により再生される。このような波面合成再生方式のうち、非特許文献１に記載のWave Field Synthesis（ＷＦＳ）方式は、直線状あるいは曲線上に並べたスピーカ群（以下、スピーカアレイという）を用いる現実的な実装方法の１つとして近年盛んに研究されている。
【０００６】
このような波面合成再生方式は、上述のマルチチャネル再生方式とは異なり、並べられたスピーカ群の前のどの位置で聴いている受聴者に対しても、良好な音像と音質を両方同時に提示することができるという特長を持つ。つまり、波面合成再生方式でのスイートスポットは幅広くなっている。
【０００７】
この波面合成再生方式では、仮想音源を表す入力信号を必要とする。そして、一般的に、１つの仮想音源には１チャネル分の音声信号とその仮想音源の位置情報が含まれることを必要とする。上述の音楽コンテンツを例にとると、例えば楽器毎に録音された音声信号とその楽器の位置情報ということになる。ただし、仮想音源それぞれの音声信号は必ずしも楽器毎である必要はないが、コンテンツ製作者が意図するそれぞれの音の到来方向と大きさが、仮想音源という概念を用いて表現されている必要がある。
【０００８】
既存のマルチチャネル再生方式のコンテンツも、変換により波面合成再生方式によって再生することができる。例えば、映画コンテンツで使用されている５.１ｃｈの音声信号を変換し仮想音源で表現することもできる。特許文献２には、５.１ｃｈの音声信号を複数のチャネルの音声信号に変換して波面合成再生方式で再生する再生方法が提案されている。具体的には、左フロントチャネル信号、右フロントチャネル信号、センターチャネル信号、左リアチャネル信号、右リアチャネル信号、サブウーファーチャネル信号のうち、左フロントチャネル信号と右フロントチャネル信号とに着目して相関信号成分と無相関信号成分とに分離し、相関信号成分を複数の仮想音源に割り当てた上で、中心の仮想音源にセンターチャネル信号を重畳することにより、５.１ｃｈの音声信号を波面合成再生方式で再生している。
【０００９】
また、従来から、音声または楽音コンテンツに含まれる音源を分離し、ある特定の音源だけを取り出すという技術の研究が行われている。特定の音源だけを取り出すことができれば、注目する特定の音声のみを聴くということや、楽器の練習や採譜のために、楽曲に含まれる特定の楽器音だけを聴くということが可能となる。現在、音声や楽音コンテンツとして最も普及しているチャネル数は２ｃｈ（ステレオ）方式であり、よってそこから特定の音声や楽器音のみを取り出す技術は非常に有用である。
【００１０】
特許文献３には、ステレオ記録された音声または楽音コンテンツなどに含まれる２チャネル分の音声信号に対し、任意に指定された方向の音像のみを分離・増圧する技術が記載されている。また、特許文献４には、このような２チャネル分の音声信号に対し、任意に指定された方向の音像のみを分離・抑圧する技術が記載されている。
【先行技術文献】
【特許文献】
【００１１】
【特許文献１】特許第５１６８６３２号公報
【特許文献２】特許第４８１０６２１号公報
【特許文献３】特開２０１１−２４４１９６号公報
【特許文献４】特開２０１１−２４４１９７号公報
【非特許文献】
【００１２】
【非特許文献１】A. J. Berkhout, D. de Vries, and P. Vogel, “Acoustic control by wave field synthesis”, J. Acoust. Soc. Am. Volume 93(5), アメリカ合衆国, Acoustical Society of America, May 1993, pp. 2764-2778
【発明の概要】
【発明が解決しようとする課題】
【００１３】
しかしながら、テレビ放送されたコンテンツや光記憶メディアに記憶されたコンテンツ等の視聴したいコンテンツの音声信号をテレビ装置（またはサウンドバー）から再生し、それと同時に特許文献１に記載された従来の天井設置型スピーカシステムを使ってその音声信号を再生することによって、臨場感を向上させようする場合、あるいは人間の音声を聞き取り易くしようとする場合、実際にはコンテンツの音声信号に含まれる人間の音声や背景音の全ての成分が、同じようにテレビ装置（またはサウンドバー）以外の場所からも聞こえてきてしまう。その結果、人間の声（音声）も背景音も同じ場所に音像定位するため、臨場感が向上することもないし、人間の音声が聞き取り易くなることもない。
【００１４】
本発明は、上述のような実状に鑑みてなされたものであり、その目的は、天井または壁に設置するスピーカ機器を使用して、臨場感を向上させること、あるいは人間の音声を聞き取り易くすることが可能な音声再生システムを提供することにある。
【課題を解決するための手段】
【００１５】
上記の課題を解決するために、本発明の第１の技術手段は、音声信号のソースとなるソース機器と、該音声信号が示す音声を出力する複数のスピーカ部を有するソース側スピーカ機器とを備えた音声再生システムであって、無線送信機と、前記ソース側スピーカ機器の他に天井または壁に設置するための追加のスピーカ機器とをさらに備え、前記無線送信機または前記ソース機器は、前記音声信号のうち特定の音声信号成分を他の音声信号成分より強調する処理を行う特定成分強調部を有し、前記無線送信機は、前記特定成分強調部で処理後の信号を無線で送信し、前記追加のスピーカ機器は、前記処理後の信号を無線で受信する無線受信部と、受信した前記処理後の信号が示す音声を出力するスピーカ部とを有することを特徴としたものである。
【００１６】
本発明の第２の技術手段は、音声信号のソースとなるソース機器と、該音声信号が示す音声を出力する複数のスピーカ部を有するソース側スピーカ機器とを備えた音声再生システムであって、前記音声信号を無線で送信する無線送信機と、前記ソース側スピーカ機器の他に天井または壁に設置するための追加のスピーカ機器とをさらに備え、前記追加のスピーカ機器は、前記無線送信機で送信された前記音声信号を無線で受信する無線受信部と、受信した前記音声信号のうち特定の音声信号成分を他の音声信号成分より強調する処理を行う特定成分強調部と、該処理が施された後の信号が示す音声を出力するスピーカ部とを有することを特徴としたものである。
【００１７】
本発明の第３の技術手段は、第１または第２の技術手段において、前記音声信号は、右チャネル信号と左チャネル信号からなるステレオ信号であり、前記特定成分強調部は、前記音声信号のうち前記右チャネル信号と前記左チャネル信号の片方にしか含まれない信号成分を強調する処理を行うことを特徴としたものである。
【００１８】
本発明の第４の技術手段は、第１または第２の技術手段において、前記音声信号は、右チャネル信号と左チャネル信号からなるステレオ信号であり、前記特定成分強調部は、前記音声信号のうち前記右チャネル信号と前記左チャネル信号の両方に含まれる信号成分を強調する処理を行うことを特徴としたものである。
【００１９】
本発明の第５の技術手段は、第１または第２の技術手段において、前記音声信号は、右チャネル信号と左チャネル信号からなるステレオ信号であり、前記特定成分強調部は、前記音声信号のうち前記右チャネル信号と前記左チャネル信号の片方にしか含まれない信号成分を強調する処理と、前記音声信号のうち前記右チャネル信号と前記左チャネル信号の両方に含まれる信号成分を強調する処理とで、実行する処理を切り替えるスイッチを有することを特徴としたものである。
【発明の効果】
【００２０】
本発明に係る音声再生システムによれば、天井または壁に設置するスピーカ機器を使用して、臨場感を向上させること、あるいは人間の音声を聞き取り易くすることが可能になる。
【図面の簡単な説明】
【００２１】
【図１】本発明の第１の実施形態に係る音声再生システムの一構成例を示す外観図である。
【図２Ａ】図１の音声再生システムにおける追加のスピーカ機器の一構成例を示す側面図である。
【図２Ｂ】図１の音声再生システムにおける追加のスピーカ機器の一構成例を示す下面図である。
【図３】図１の音声再生システムにおける無線送信機の一構成例を示すブロック図である。
【図４】図１の音声再生システムにおける追加のスピーカ機器の一構成例を示すブロック図である。
【図５】図３の無線送信機における信号処理部の一構成例を示すブロック図である。
【図６】受聴者と左右のスピーカ機器と合成音像との位置関係の例を説明するための模式図である。
【図７】図３の無線送信機における信号処理部の他の構成例を示すブロック図である。
【図８】本発明の第２の実施形態に係る音声再生システムにおける無線送信機の信号処理部の他の構成例を示すブロック図である。
【図９】本発明の第２の実施形態に係る音声再生システムにおける無線送信機の信号処理部の他の構成例を示すブロック図である。
【図１０】本発明の第３の実施形態に係る音声再生システムにおける無線送信機の一構成例を示す外観図である。
【図１１】本発明の第４の実施形態に係る音声再生システムの一構成例を示す外観図である。
【発明を実施するための形態】
【００２２】
本発明に係る音声再生システムは、音声信号を無線で通信してその音声信号が示す音声をスピーカ機器から出力するシステムである。ここで、音声信号とは、当然、いわゆる音声を記録した信号に限ったものではなく、音響信号とも呼べる。よって、本発明に係る音声再生システムは音響再生システムとも呼べる。以下、本発明に係る音声再生システムの様々な実施形態について、図面を参照しながら説明する。
【００２３】
（第１の実施形態）
本発明の第１の実施形態について、図１〜図７を参照しながら説明する。
図１は、本発明の第１の実施形態に係る音声再生システムの一構成例を示す外観図である。また、図２Ａは図１の音声再生システムにおける追加のスピーカ機器の一構成例を示す側面図で、図２Ｂはその下面図である。
【００２４】
本発明の第１の実施形態に係る音声再生システム（以下、本システムと言う）は、音声信号のソースとなるソース機器と、その音声信号が示す音声を出力する複数のスピーカ部を有するスピーカ機器（以下、ソース側スピーカ機器と言う）とを備えている。ここで、スピーカ部をアレイ状に並べた１台のスピーカアレイも上記ソース側スピーカ機器に該当する。図１を参照しながら、ソース機器及びソース側スピーカ機器で構成される装置の一例としてテレビ装置３を挙げ、本システムについて具体的に説明する。
【００２５】
テレビ装置３は、映像を表示する表示部３ａと、音声信号が示す音声を出力するソース側スピーカ機器３ｂとを有する。その他、テレビ装置３は、図示しないがコンテンツ入力部、デコーダ、信号処理部（以下、ソース側信号処理部と言う）、Ｄ／Ａコンバータ、及び増幅器等を有する。
【００２６】
上記のコンテンツ入力部は、放送局から送信されたデジタル放送のコンテンツや、ネットワークを介してデジタルコンテンツを配信するサーバからインターネットからダウンロードしたり、あるいは外部記憶装置等の記録媒体から読み込んだりすることによって、コンテンツを入力する。ここで入力されるコンテンツは、マルチチャネルの入力音声信号を含むデジタルコンテンツ、もしくは波面合成再生方式の入力音声信号（及び仮想音源の位置情報）を含むデジタルコンテンツなどである。デコーダは、音声のみあるいは音声付き映像のコンテンツを復号し、信号処理可能な形式に変換し、ソース側信号処理部に出力する。ソース側信号処理部で施す信号処理は、どのようなものであってもよい。
【００２７】
このような構成により、テレビ装置３は、まずコンテンツ入力部でコンテンツの音声信号を受信し、それをデコーダで復号する。次いでテレビ装置３は、復号した音声信号に対してソース側信号処理部で信号処理を施し、信号処理後のデジタルの音声信号をＤ／Ａコンバータでアナログ信号に変換する。このＤ／Ａコンバータは、変換後の信号をテレビ装置３内の増幅器に伝送すると共に、無線送信機１にも伝送する。そして、テレビ装置３は、変換された音声信号を増幅器で増幅し、スピーカ機器３ｂからその音声信号が示す音声を出力する。
【００２８】
また、ソース機器及びソース側スピーカ機器の例としてテレビ装置３を挙げているが、ソース機器と上記ソース側スピーカ機器とは同じ筐体に設けられるものに限ったものではなく、一部または全部が別筐体として設けられていてもよい。例えば、テレビ装置３に左チャネルと右チャネルとセンターチャネル用のスピーカ機器を設け、左リアチャネルと右リアチャネルとサブウーファーチャネル用に外付けでスピーカ機器を接続してもよい。
【００２９】
本システムは、その主たる特徴の１つとして、無線送信機１と、上記ソース側スピーカ機器３ｂの他に追加のスピーカ機器２とを備える。追加のスピーカ機器２は、天井または壁に設置するためのスピーカ機器であり、一台で例示するが、複数台であっても構わない。無線送信機１はテレビ装置３にケーブルＣ１で接続されている。ここで、無線送信機１は例えばテレビ装置３のヘッドホン端子とケーブルＣ１で接続することで、テレビ装置３からアナログのステレオ信号を入力することができる。この場合、テレビ装置３における音声出力設定は、テレビ装置３のスピーカ機器３ｂとヘッドホン端子に同時出力するように設定されているものとする。
【００３０】
図１では、無線送信機１がソース機器の例であるテレビ装置３にケーブルＣ１で接続されている例を挙げているが、無線送信機１はソース機器の内部に設けられていてもよい。これにより、本システムのシステム設計の自由度を増やすことができる。また、図１では、無線送信機１に給電用としてＵＳＢ（Universal Serial Bus；登録商標。以下同様。）ケーブルＣ２が接続可能となっているが、接続できないような構成も採用できる。無線送信機１は、例えばＡＣアダプタあるいは充電池などから給電されるように構成すればよい。
【００３１】
図２を参照しながら、追加のスピーカ機器２の一構成例を説明する。図２Ａに追加のスピーカ機器２の側面側から見た図を示し、図２Ｂに追加のスピーカ機器２の下面側から見た図を示すように、追加のスピーカ機器２の本体２ａの最上部には、屋内照明用のローゼットに挿し込むためのプラグ２ｄが設けられており、その下に、電源及び信号処理基板を格納するためのボックス２ｃが設けられている。そのボックス２ｃの両端には、２つのスピーカ部２ｂがコーン面が横向きになるように（追加のスピーカ機器２の側面を向くように）配置されている。なお、スピーカ部２ｂの個数は２個に限ったものではない。
【００３２】
また、追加のスピーカ機器２の下面側に屋内照明用のローゼット用のジャック器具２ｅを設けることで、そのジャック器具２ｅに対して、照明のローゼットのプラグを挿すことにより、追加のスピーカ機器２を天井と照明との間に挟んだ状態で設置することができる。ただし、追加のスピーカ機器２の構成は図２で例示するものに限らず、プラグ２ｄやジャック器具２ｅ等は設けなくても、電源を備え、図４で後述するような無線受信部２１及びスピーカ部２５（例えば図２のスピーカ部２ｂ）を備えていればよい。
【００３３】
次に、図３及び図４を参照しながら無線送信機１や追加のスピーカ機器２の構成例について説明する。図３は、図１の音声再生システムにおける無線送信機１の一構成例を示すブロック図で、図４は、図１の音声再生システムにおける追加のスピーカ機器２の一構成例を示すブロック図である。
【００３４】
図３で例示する無線送信機１は、Ａ／Ｄコンバータ１１、信号処理部１２、及び無線送信部１３を有する。Ａ／Ｄコンバータ１１や信号処理部１２は上記信号処理基板に搭載しておけばよい。図１の構成例では、無線送信機１にはテレビ装置３からケーブルＣ１を介して伝送された音声信号（例えばアナログのステレオ信号）が入力される。Ａ／Ｄコンバータ１１は、そのようにして入力された音声信号をアナログ信号からデジタル信号に変換し、信号処理部１２に渡す。
【００３５】
ここでは、Ａ／Ｄコンバータ１１に入力される音声信号が、テレビ装置３におけるソース側信号処理部で信号処理され、アナログに変換された後の音声信号であることを前提として説明した。ただし、このような構成例に限らず、例えばＡ／Ｄコンバータ１１を設けずテレビ装置３のデコーダで復号されたデジタルの音声信号をそのまま信号処理部１２にケーブルＣ１を介して伝送するようにしてもよい。
【００３６】
無線送信機１は、本発明の主たる特徴として、コンテンツの音声信号のうち特定の音声信号成分を他の音声信号成分より強調する処理（以下、強調処理）を行う特定成分強調部を有する。ここでは、この特定成分強調部が信号処理部１２に含まれているものとして説明する。上記特定の音声信号成分とは、入力音声信号のうち後述するような特定の周波数成分であってもよいし、入力音声信号のうち特定の方向に向かう信号の成分であってもよい。
【００３７】
信号処理部１２は、Ａ／Ｄコンバータ１１から受けたデジタル信号に対して信号処理を施した上で、無線送信部１３に渡す。この信号処理には上記強調処理が含まれる。ここで、信号処理部１２にはマスターボリュームの値などが制御信号として入力される。信号処理部１２は、上記強調処理と共にその制御信号に応じた信号処理を実行する。なお、マスターボリューム値などは、テレビ装置３側でのユーザ操作を受けてケーブルＣ１を介して受信可能としてもよいし、単に無線送信機１にボリュームツマミなどの操作部を設けてその操作部での設定値としてもよい。
【００３８】
また、テレビ装置３から無線送信機１へはステレオ信号を送信するに限ったものではなく、２チャネルより多いチャネルの音声信号を送信してもよい。その場合、Ａ／Ｄコンバータ１１の前段の処理もしくは信号処理部１２の最初の処理として、ステレオ信号にダウンコンバートするなどの処理を行ってもよい。もし、追加のスピーカ機器２が対応していれば、２チャネルより多いチャネルの音声信号であっても無線送信機１に入力された音声信号のチャネル数のまま無線送信機１から出力させることもできる。その際、上記特定成分強調部では、２チャネル以上の信号から特定の音声信号成分を強調する処理を行えばよい。
【００３９】
なお、テレビ装置３からモノラル信号を送信するようにしてもよいが、その場合、上記強調処理としては特定の周波数成分を強調する処理を採用するとよい。テレビ装置３からの音声信号がモノラルであるか否かに拘わらず、次のような代替処理を行ってもよい。すなわち、例えば複数の面に設けたスピーカ部２ｂ（図２では２つのスピーカ部２ｂ）のうちいずれか一方からのみ、または一部からのみ、音声を出力するような強調処理を行ってもよい。ただし、その場合、スピーカ部２ｂのコーン面が向く方向を予め決めて追加のスピーカ機器２を設置しておく必要がある。
【００４０】
無線送信部１３は、信号処理部１２で処理後の信号、つまり上記特定成分強調部で強調処理後の信号を、追加のスピーカ機器２に無線で送信する。
【００４１】
図４で例示する追加のスピーカ機器２は、無線受信部２１、信号処理部２２、Ｄ／Ａコンバータ２３、増幅器２４、及びスピーカ部２５を有する。無線受信部２１は、無線送信部１３から送信された上記強調処理後の信号を無線で受信する。スピーカ部２５は、受信した上記強調処理後の信号が示す音声を出力する。
【００４２】
スピーカ部２５での音声出力に際し、信号処理部２２は、無線受信部２１で受信した上記強調処理後の信号に対して信号処理を施し、Ｄ／Ａコンバータ２３に渡す。ここで、信号処理部２２にはマスターボリュームやイコライザのパラメータ値などが制御信号として入力される。信号処理部２２は、その制御信号に従った信号処理を施す。なお、マスターボリュームやイコライザのパラメータ値などは、テレビ装置３側でのユーザ操作を受けて無線受信部２１で受信可能としてもよいし、単に追加のスピーカ機器２にボリュームツマミなどの操作部を設けてその操作部での設定値としてもよい。
【００４３】
Ｄ／Ａコンバータ２３は、信号処理部２２から受け取った信号を、デジタル信号からアナログ信号に変換し、増幅器２４に渡す。増幅器２４は、そのアナログ信号を増幅し、スピーカ部２５に渡す。これにより、増幅された信号が示す音声がスピーカ部２５から空間中に音として出力される。
【００４４】
また、上記特定成分強調部を無線送信機１に設けた例を挙げて説明しているが、ソース機器（図１ではテレビ装置３）側に設けることもできる。その場合、上記ソース側信号処理部に、スピーカ機器３ｂ用の信号処理を行う経路の他に、追加のスピーカ機器２用に上記強調処理を含む信号処理を行う経路を設ける（特定成分強調部を設ける）ことになる。その後、例えばテレビ装置３は無線送信機１に対して特定成分強調部で強調処理後の信号を伝送し、無線送信機１の無線送信部１３がＡ／Ｄコンバータ１１、信号処理部１２（ただし、特定成分強調部は備えない）を経た信号を追加のスピーカ機器２に無線送信すればよい。
【００４５】
以上のように、天井や壁にスピーカ機器を設置するだけの特許文献１に記載の技術では、コンテンツの音声信号に含まれる人間の音声や背景音の全ての成分が同じようにテレビ装置（またはサウンドバー）からとそれ以外の場所から聞こえてくる（人間の音声も背景音も同じ単一の場所あるいは同じ複数の場所から聞こえてくる）ため、臨場感が向上しないかあるいは損なわれてしまうし、人間の音声も聞き取り易くもならない。これに対し、本システムでは、音声信号のある特定の成分だけを強調して、天井や壁に設置する追加のスピーカ機器２に無線で伝送し、それらのスピーカ機器２から音を出力することによって、その成分に関する音像がテレビ装置３以外のところに移動するため、その特定の音声信号成分を他の成分より強調させること（つまり、臨場感を向上させたり、音声を聞き取り易くさせたりすること）が可能になる。
【００４６】
ここで、臨場感を向上させるようにするか、あるいは人間の音声を聞き取り易いようにするかは、どのような強調処理を施すかによって、使い分けることができる。以下、本実施形態では、テレビ放送のスポーツ番組を視聴する際に好適な、歓声音などの背景音のみを強調して臨場感を向上させる処理について説明する。なお、人間の音声を聞き取り易いようにする処理については、第２の実施形態として後述する。また、以下でも上記特定成分強調部が信号処理部１２に含まれるものとして信号処理部１２の具体例を説明するが、代わりにソース側信号処理部または信号処理部２２に含まれるように構成した場合についても同様である。
【００４７】
本実施形態における特定成分強調部は、入力される音声信号が右チャネル信号と左チャネル信号からなるステレオ信号であることを前提とし、次の強調処理Ａを行う。そして、上記の強調処理Ａとは、特定成分強調部に入力された音声信号のうち右チャネル信号と左チャネル信号の片方にしか含まれない信号成分を強調する処理を指す。ただし、上述したように、本発明における特定成分強調部に入力される音声信号はステレオ信号に限ったものではない。
【００４８】
特に、上記強調処理Ａは、特定成分強調部に入力された音声信号のうち、フロント側にある複数のスピーカ部（図１の例ではスピーカ機器３ｂそのもの）の配列方向において中央位置付近以外に定位する音の音声信号を強調する処理としてもよい。中央位置付近とは、例えばフロント側の全てのスピーカ部のうち両端のスピーカ部間において中央位置から所定割合の距離まで（例えば両端の距離Ｌに対して０.３Ｌなど）として定義できる。所定割合は、強調したい成分に応じて決めればよい。このように中央位置付近以外に定位する音の音声信号を強調することで、上記片方にしか含まれない信号成分のうち全部ではなく一部を強調することができる。
【００４９】
本実施形態における信号処理部１２の一例として、図５で例示する信号処理部１２ａが挙げられる。図５は、図３の無線送信機における信号処理部の一構成例を示すブロック図で、図６は、受聴者と左右のスピーカ機器（図１のスピーカ機器３ｂに相当）と合成音像との位置関係の例を説明するための模式図である。
【００５０】
信号処理部１２の一例として図５で例示する信号処理部１２ａは、概略的に説明すると、複数のスピーカによって合成される音像群から所定の空間的範囲に合成される音像のみを抑圧（抽出して減圧）することにより、上記片方にしか含まれない信号成分を強調する。なお、抑圧する音像は、概念的に一つの音像として取り扱っているが、当然、音像群として定義付けることもできる。
【００５１】
例えば、信号処理部１２ａは、得られた２チャネル信号を相関信号と無相関信号に分離し、後述する相関信号減少部により相関信号について抑圧度合を調整する。その代替処理として、信号処理部１２ａは、後述する無相関信号増加部により無相関信号について増圧の度合を調整するようにしてもよい。さらに、双方の処理が可能なように信号処理部１２ａを構成してもよい。いずれの構成においても臨場感を向上させることができる。なお、抑圧度合とは、信号成分を減少させる度合いを指し、増圧度合とは、抽出（ピックアップ）する度合い、信号成分を増加させる度合いを指す。
【００５２】
そのような処理のために、信号処理部１２ａは、次の信号分離抽出部３３と、相関信号減少部及び／または無相関信号増加部を有する。具体的には、信号処理部１２ａは、前処理部３１、離散フーリエ変換部３２、信号分離抽出部３３、相関信号処理部３４、ゲイン調整部３５ａ，３５ｂ，３５ｃ、合成部３６、離散フーリエ逆変換部（逆離散フーリエ変換部）３７、及び後処理部３８を有する。なお、各部３１〜３８と相関信号減少部や無相関信号増加部との関係については後述する。
【００５３】
まず、信号処理部１２ａ内の各部の処理について簡略的に説明する。前処理部３１では音声データを読み込み、窓関数演算を行う。離散フーリエ変換部３２ではその信号を時間領域の表現から周波数領域の表現に変換する。
【００５４】
信号分離抽出部３３は、入力音声信号を２つのチャネル間の相関信号と無相関信号とに分離する部位であり、相関信号抽出部とも言える。信号分離抽出部３３では、音声信号を相関信号と左右チャネルそれぞれから分離される無相関信号に分離する。
【００５５】
相関信号処理部３４は、相関信号の合成音像の方向に基づいて合成音像の抑圧度合を決定する。ゲイン調整部３５ａ，３５ｂ，３５ｃは、左チャネル無相関信号、相関信号、右チャネル無相関信号それぞれについてスケーリング処理（ゲイン係数乗算処理）を行う。
【００５６】
合成部３６は、ゲイン調整部３５ａ，３５ｂ，３５ｃからの出力を全て合成（加算）し、モノラル信号として、離散フーリエ逆変換部３７に出力する。なお、合成部３６は、３つの音声信号を加算処理（つまり重ね合わせ処理）するため、加算部あるいは重ね合わせ部とも言える。離散フーリエ逆変換部３７は、入力された音声信号を再び時間領域に戻し、後処理部３８へ出力する。
【００５７】
後処理部３８は、ノイズ除去処理を施し、追加のスピーカ機器２がステレオ再生可能な場合にはモノラル信号をそのまま左右のチャネルとして出力する処理などを施し、処理後の信号を無線送信部１３に出力する。モノラル信号をそのまま左右のチャネルで使用する代わりに、一方のチャネルの信号としてそのモノラル信号をそのまま使用し、他方のチャネルの信号としてそのモノラル信号の位相を反転させたものを使用するようにしてもよい。
【００５８】
また、代替処理として、合成部３６では、ゲイン調整部３５ａ，３５ｂ，３５ｃからの出力を、チャネル毎に全て合成し、チャネル毎の再割り当て後の信号として、離散フーリエ逆変換部３７に出力するように構成することもできる。ここで、単純にゲイン調整部３５ｂからの出力をそれぞれゲイン調整部３５ａ、ゲイン調整部３５ｃからの出力に合成（加算）することで、チャネル毎の再割り当てが可能となる。その場合の後処理部３８では、ノイズ除去処理を施すだけでよい。
【００５９】
なお、本実施形態に限らず、ソース側スピーカ機器（図１のテレビ装置３のスピーカ機器３ｂ）から音声を出力する際の再生方式については、どのような再生方式を採用してもよく、例えば特許文献２〜４に記載のような波面合成再生方式を採用してもよいし、マルチチャネル再生方式を採用してもよい。波面合成再生方式を採用する場合、図５で説明するのと同様にして相関信号や無相関信号を抽出する処理を実行することもできるため、その結果を利用して特定の音声信号成分を強調する処理を施すこともできる。
【００６０】
以下、信号処理部１２ａにおける各部について、具体的な処理例を説明する。
まず、前処理部３１は、入力された２つのチャネルの入力信号それぞれを、１セグメントの１／４の長さの音声データ分読み出す。ここで、音声データとは、例えば４８ｋＨｚなどの標本化周波数で標本化された離散音声信号波形を指すものとする。ここで、音声データとは、例えば４８ｋＨｚなどの標本化周波数で標本化された離散音声信号波形を指すものとする。そして、セグメントとは、ある一定の長さの標本点群からなる音声データ区間であり、ここでは後ほど離散フーリエ変換の対象となる区間長を指すものとし、処理セグメントとも呼ぶ。その値は例えば１０２４とする。この例では、１セグメントの１／４の長さである２５６点の音声データが読み出し対象となる。なお、読み出し対象となるセグメント長はこれに限らず、例えば１セグメントの１／２の長さである５１２点の音声データに対して読み出しを行ってもよい。
【００６１】
読み出した２５６点の音声データはバッファに蓄えられる。このバッファは、直前の１セグメント分の音声信号波形を保持しておけるようになっており、それより過去のセグメントは捨てていく。直前の３／４セグメント分のデータ（７６８点）と最新の１／４セグメント分のデータ（２５６点）を繋げて１セグメント分の音声データを作成し、窓関数を乗算する。すなわち、全ての標本データは窓関数演算に４回読み込まれることになる。
【００６２】
なお、特許文献２に記載のように、５１２点の音声データを読み出してバッファに蓄え、直前の半セグメント分のデータと最新の半セグメント分のデータを繋げて１セグメント分の音声データを作成し、窓関数演算を行うようにしてもよい。この場合、全ての標本データは窓関数演算に２回読み込まれることになる。
【００６３】
ここで、窓関数の乗算とは、従来提案されている次のＨａｎｎ窓を１セグメント分の音声データに乗算する窓関数演算処理を実行する。
【数１】
2015065551.tif 000003
【００６４】
ｍは自然数、Ｍは１セグメント長で偶数とする。ステレオの入力信号をそれぞれｘＬ（ｍ）、ｘＲ（ｍ）とすると、窓関数乗算後の音声信号ｘ′Ｌ（ｍ）、ｘ′Ｒ（ｍ）は、
ｘ′Ｌ（ｍ）＝ｗ（ｍ）ｘＬ（ｍ）、
ｘ′Ｒ（ｍ）＝ｗ（ｍ）ｘＲ（ｍ）                              (2)
と計算される。
【００６５】
このＨａｎｎ窓を用いると、例えば標本点ｍ0（ただし、０≦ｍ0＜Ｍ／４）の入力信号ｘL（ｍ0）にはｓｉｎ2（（ｍ0／Ｍ）π）が乗算される。そして、その次の回の読み込みではその同じ標本点がｍ0＋Ｍ／４として、その次にはｍ0＋Ｍ／２として、その次にはｍ0＋（３Ｍ）／４として読み込まれる。さらに、後述するが、この窓関数を、最後に再度演算する。したがって、上述の入力信号ｘL（ｍ0）にはｓｉｎ4（（ｍ0／Ｍ）π）が乗算されることになる。この窓関数が、１／４セグメント毎にシフトされながら合計４回加算されるので、
【００６６】
【数２】
2015065551.tif 000004
が乗算されることになる。この式を変形すると、値が３／２（一定値）となるので、もし、何も修正を加えずに、読み込んだ信号にＨａｎｎ窓を２回乗算し、上の３／２の逆数の２／３をかけ、それを１／４セグメントずつずらして加算すれば（あるいは、１／４セグメントずつずらして加算後に２／３をかければ）、元の信号が完全に復元されることになる。
【００６７】
次に、離散フーリエ変換部３２での処理について説明する。離散フーリエ変換部３２は、そうして得られた音声データを次の数式(3)のように離散フーリエ変換し、周波数領域の音声データを得る。つまり、離散フーリエ変換部３２は、２つのチャネル（の音声データ）に対し、離散フーリエ変換を施す。ここで、ＤＦＴは離散フーリエ変換を表し、ｋは自然数で、０≦ｋ＜Ｍ／２である。ＸＬ（ｋ）、ＸＲ（ｋ）は複素数となる。
ＸＬ（ｋ）＝ＤＦＴ（ｘ′Ｌ（ｍ））、
ＸＲ（ｋ）＝ＤＦＴ（ｘ′Ｒ（ｍ））                            (3)
【００６８】
次に、信号分離抽出部３３での処理について説明する。
信号分離抽出部３３は、線スペクトル毎（つまり周波数毎）に、離散フーリエ変換部３２で変換された２つのチャネルの音声信号を、周波数毎（または周波数帯域毎）に相関信号と無相関信号とに分離（抽出）する。ここで相関信号とは、周波数について相関する信号を指し、無相関信号とは周波数について相関しない信号を指す。
【００６９】
また、信号分離抽出部３３においては、線スペクトル毎でなくても周波数帯域（小帯域）毎に相関信号と無相関信号とを分離、抽出してもよい。つまり、ここでは線スペクトル毎に相関係数を取得するなどの処理を行う例を挙げて説明するが、特許文献２に記載のように、Equivalent Rectangular Band（ＥＲＢ）を用いて分割した帯域（周波数領域であり、小帯域とも呼ぶ）毎に相関係数を取得するなどの処理を実行してもよい。
【００７０】
離散フーリエ変換した後の線スペクトルは、直流成分すなわち例えばＸL（０）を除いて、Ｍ／２（ただし、Ｍは偶数）を境に対称となっている。すなわち、ＸL（ｋ）とＸL（Ｍ−ｋ）は０＜ｋ＜Ｍ／２の範囲で複素共役の関係になる。したがって、以下ではｋ≦Ｍ／２の範囲を分析の対象として考え、ｋ＞Ｍ／２の範囲については複素共役の関係にある対称の線スペクトルと同じ扱いとする。
【００７１】
次に、各線スペクトルに対し、左チャネルと右チャネルの正規化相関係数を次式で求めることで、相関係数を取得する。ここで、対象となる線スペクトルの音声信号Ｘのゲイン（振幅）をＧとすると、Ｐ（Ｘ）は、音声信号Ｘの電力（音圧に相当）を表し、ゲインＧの二乗値で表現できる。
【００７２】
【数３】
2015065551.tif 000005
【００７３】
この正規化相関係数ｄ(ｋ)は左右のチャネルの音声信号にどれだけ相関があるかを表すものであり、０から１の間の実数の値をとる。全く同じ信号同士であれば１、そして全く無相関の信号同士であれば０となる。ここで、左右のチャネルの音声信号の電力ＰL(ｋ)とＰR(ｋ)の両方が０である場合、その線スペクトルに関して相関信号と無相関信号の抽出は不可能とし、処理を行わず次の線スペクトルの処理に移ることとする。また、ＰL(ｋ)とＰR(ｋ)のいずれか片方が０である場合、数式(4)では演算不可能であるが、正規化相関係数ｄ(ｋ)＝０とし、その線スペクトルの処理を続行する。
【００７４】
次に、信号分離抽出部３３は、この正規化相関係数ｄ(ｋ)を用いて、左右チャネルの音声信号から相関信号と無相関信号をそれぞれ分離抽出するための変換係数を求め、取得したそれぞれの変換係数を用いて、左右チャネルの音声信号から相関信号と無相関信号を分離抽出する。相関信号及び無相関信号は、いずれも推定した音声信号として抽出すればよい。
【００７５】
このような変換係数算出処理及び分離抽出処理の一例を説明する。ここで、特許文献２と同様、左右チャネルそれぞれの信号は、無相関信号と相関信号から構成され、相関信号については、左右のチャネルからゲインのみ異なる信号波形（つまり同じ周波数成分からなる信号波形）が出力されるものとするモデルを採用する。ここで、ゲインは、信号波形の振幅に相当し、音圧に関連する値である。そして、このモデルでは、左右のチャネル信号から出力される相関信号によって合成される音像は、その相関信号の左右それぞれの音圧のバランスによって方向が決定されるものとする。
【００７６】
そのモデルに従うと、入力信号ｘL（ｍ）、ｘR（ｍ）は、
ｘL（ｍ）＝  ｓ（ｍ）＋ｎL（ｍ）、
ｘR（ｍ）＝αｓ（ｍ）＋ｎR（ｍ）                            (8)
と表される。ここで、ｓ（ｍ）は左右の相関信号、ｎL（ｍ）は左チャネルの音声信号から相関信号ｓ（ｍ）を減算したものであって（左チャネルの）無相関信号として定義できるもの、ｎR（ｍ）は右チャネルの音声信号から相関信号ｓ（ｍ）にαを乗算したものを減算したものであって（右チャネルの）無相関信号として定義できるものである。また、αは相関信号の左右の音圧バランスの程度を表す正の実数である。
【００７７】
数式(8)により、前処理部３１で処理後の音声信号、すなわち数式(2)で前述した窓関数乗算後の音声信号ｘ′L（ｍ）、ｘ′R（ｍ）は、次の数式(9)で表される。ただし、ｓ′（ｍ）、ｎ′L（ｍ）、ｎ′R（ｍ）はそれぞれｓ（ｍ）、ｎL（ｍ）、ｎR（ｍ）に窓関数を乗算したものである。
ｘ′L（ｍ）＝ｗ（ｍ）｛ｓ（ｍ）＋ｎL（ｍ）｝＝ｓ′（ｍ）＋ｎ′L（ｍ）、
ｘ′R（ｍ）＝ｗ（ｍ）｛αｓ（ｍ）＋ｎR（ｍ）｝＝αｓ′（ｍ）＋ｎ′R（ｍ）
(9)
【００７８】
したがって、離散フーリエ変換部３２で数式(9)を離散フーリエ変換することによって、次の数式(10)が得られる。ただし、Ｓ（ｋ）、ＮL（ｋ）、ＮR（ｋ）はそれぞれｓ′（ｍ）、ｎ′L（ｍ）、ｎ′R（ｍ）を離散フーリエ変換したものである。
ＸL（ｋ）＝  Ｓ（ｋ）＋ＮL（ｋ）、
ＸR（ｋ）＝αＳ（ｋ）＋ＮR（ｋ）                          (10)
【００７９】
よって、ｋ番目の線スペクトルにおける音声信号ＸL（ｋ）、ＸR（ｋ）は、
ＸL（ｋ）＝Ｓ（ｋ）＋ＮL（ｋ）、
ＸR（ｋ）＝α（ｋ）Ｓ（ｋ）＋ＮR（ｋ）                      (11)
と表現される。ここで、α(ｋ)はｋ番目の線スペクトルにおけるαを表す。
【００８０】
数式(11)から、数式(7)の音圧ＰL（ｋ）とＰR（ｋ）は、
ＰL(ｋ)＝ＰS(ｋ)＋ＰN(ｋ)、
ＰR(ｋ)＝［α(ｋ)］2ＰS(ｋ)＋ＰN(ｋ)                        (12)
と表される。ここで、ＰS(ｋ)、ＰN(ｋ)はｋ番目の線スペクトルにおけるそれぞれ相関信号、無相関信号の電力であり、
【数４】
2015065551.tif 000006
と表される。ここで、左右のチャネル間の無相関信号の音圧は等しいと仮定している。
【００８１】
また、数式(5)〜(7)より、ｄ（ｋ）は、次の数式(14)で表すことができる。ただし、この算出においてはＳ（ｋ）、ＮＬ（ｋ）、ＮＲ（ｋ）が互いに直交し、かけ合わされたときの電力は０と仮定している。
【数５】
2015065551.tif 000007
【００８２】
数式(12)と数式(14)を解くことにより、次の式が得られる。
【数６】
2015065551.tif 000008
【００８３】
信号分離抽出部３３では、これらの値を求めると共に、これらの値を用いて、各線スペクトルにおける相関信号と無相関信号を推定する。ｋ番目の線スペクトルにおける相関信号Ｓ（ｋ）の推定値ｅｓｔ（Ｓ（ｋ））を、媒介変数μ１、μ２を用いて、
ｅｓｔ（Ｓ（ｋ））＝μ１ＸＬ（ｋ）＋μ２ＸＲ（ｋ）                  (17)
とおくと、推定誤差εは、
ε＝ｅｓｔ（Ｓ（ｋ））−Ｓ（ｋ）                                (18)
と表される。ここで、ｅｓｔ（Ａ）はＡの推定値を表すものとする。そして二乗誤差ε２が最少になるとき、εとＸＬ（ｋ）、ＸＲ（ｋ）はそれぞれ直交するという性質を利用すると、
Ｅ［ε・ＸＬ（ｋ）］＝０、Ｅ［ε・ＸＲ（ｋ）］＝０                (19)
という関係が成り立つ。
【００８４】
数式(11)、(13)、(15)〜(18)を利用すると、数式(19)から次の連立方程式が導出できる。
（１−μ１−μ２α（ｋ））ＰＳ（ｋ）−μ１ＰＮ（ｋ）＝０
α（ｋ）（１−μ１−μ２α（ｋ））ＰＳ（ｋ）−μ２ＰＮ（ｋ）＝０
(20)
【００８５】
この数式(20)を解くことによって、各媒介変数が次のように求まる。
【数７】
2015065551.tif 000009
ここで、このようにして求まる推定値ｅｓｔ（Ｓ（ｋ））の電力Ｐｅｓｔ（Ｓ）（ｋ）が、数式(17)の両辺を二乗して求まる次の式
Ｐｅｓｔ（Ｓ）（ｋ）＝（μ１＋α（ｋ）μ２）２ＰＳ（ｋ）＋（μ１２＋μ２２）ＰＮ（ｋ）  (22)
を満たす必要があるため、この式から推定値を次式のようにスケーリングする。なお、ｅｓｔ′（Ａ）はＡの推定値をスケーリングしたものを表す。
【００８６】
【数８】
2015065551.tif 000010
【００８７】
そして、ｋ番目の線スペクトルにおける左右のチャネルの無相関信号ＮＬ（ｋ）、ＮＲ（ｋ）に対する推定値ｅｓｔ（ＮＬ（ｋ））、ｅｓｔ（ＮＲ（ｋ））はそれぞれ、
ｅｓｔ（ＮＬ（ｋ））＝μ３ＸＬ（ｋ）＋μ４ＸＲ（ｋ）              (24)
ｅｓｔ（ＮＲ（ｋ））＝μ５ＸＬ（ｋ）＋μ６ＸＲ（ｋ）              (25)
とおくことにより、上述の求め方と同様にして、媒介変数μ３〜μ６は、
【数９】
2015065551.tif 000011
と求めることができる。このようにして求めた推定値ｅｓｔ（ＮＬ（ｋ））、ｅｓｔ（ＮＲ（ｋ））も上述と同様に、次の式によってそれぞれスケーリングする。
【００８８】
【数１０】
2015065551.tif 000012
【００８９】
数式(21)、(26)、(27)で示した各媒介変数μ１〜μ６及び数式(23)、(28)、(29)で示したスケーリングの係数が、信号分離抽出部３３で求める変換係数に該当する。そして、信号分離抽出部３３は、これらの変換係数を用いた演算（数式(17)、(24)、(25)）により推定することで、相関信号と無相関信号（右チャネルの無相関信号、左チャネルの無相関信号）とを分離抽出し、後段に出力する。
【００９０】
ここで、信号分離抽出部３３は、左チャネルより分離されスケーリングされた無相関信号est′（ＮＬ（ｋ）（ｋ））を左チャネル用のゲイン調整部３５ａに出力し、右チャネルより分離されスケーリングされた無相関信号est′（ＮＲ（ｋ）（ｋ））を右チャネル用のゲイン調整部３５ｃに出力し、両チャネルより分離されスケーリングされた相関信号est′（Ｓ（ｋ）（ｋ））を相関信号処理部３４に出力する。
【００９１】
相関信号処理部３４では、上述したように、相関信号からある特定の音像を抑圧するための抑圧の度合（ゲイン係数に相当）を決定する。その前処理として、線スペクトル毎に推定した相関信号によって生成される合成音像の方向を推定する。
【００９２】
この推定処理について、図６に基づき説明する。図６は、受聴者と左右のスピーカと合成音像との位置関係の例を説明するための模式図である。いま、図６に示す位置関係６０のように、受聴者（聴取位置）から左右のスピーカ６１Ｌ，６１Ｒの中点にひいた線と、同じく受聴者６３からいずれかのスピーカ６１Ｌ／６１Ｒの中心までひいた線がなす見開き角をθ０、受聴者６３から推定合成音像６２の位置までひいた線がなす見開き角をθとする。ここで、左右のスピーカ６１Ｌ，６１Ｒから同じ音声信号を、音圧バランスを変えて出力した場合、その出力音声によって生じる合成音像６２の方向は、音圧バランスを表す前述のパラメータαを用いて次の式で近似できることが一般的に知られている（以下、立体音響におけるサインの法則と呼ぶ）。
【００９３】
【数１１】
2015065551.tif 000013
【００９４】
よって、ｋ番目の線スペクトルにおける相関信号の合成音像の方向θ（ｋ）は次式によって求められる。ここで、θ０は予め決定しておく数値で、例えばθ０＝π／６［ｒａｄ］などとしてよい。
【数１２】
2015065551.tif 000014
【００９５】
次に、このようにして方向が推定された相関信号が、抑圧すべき信号であるか（すなわち上記所定の空間的範囲に合成される音像に関わる相関信号であるか）否かを判断する。この判断は、特許文献３，４に記載のように、デフォルト値に基づき自動的に実行するか、もしくはユーザが入力した値（ユーザ入力値）に基づいて実行すればよい。なお、特許文献３，４では小帯域毎の処理を説明しているが、線スペクトル毎の処理も同様である。
【００９６】
ここで、上記強調処理Ａでは、臨場感を向上させるためにフロント側にある複数のスピーカ部の配列方向において中央位置付近以外に定位する音を強調することから、上記デフォルト値としては、その中央位置付近に定位する音を抑圧するような値を設定する必要がある。
【００９７】
しかし、どの方向の相関信号であっても、特定成分強調部に入力された左チャネル信号と右チャネル信号の両方に含まれる信号成分であると言える。つまり、相関信号は、全て上記両方に含まれる信号成分であると言え、それらの片方にしか含まれない信号成分ではないと言える。よって、基本的には上記デフォルト値としてどの方向の相関信号を抑圧したとしても、少なくとも上記片方にしか含まれない信号成分を相対的に強調することはできる。また、全ての方向の相関信号を抑圧した場合には、上記片方にしか含まれない信号成分をより強調することができる。
【００９８】
上記デフォルト値として、特定成分強調部に入力された左チャネル信号と右チャネル信号の両方に含まれる信号成分のうち一部を抑圧するような値を設定する一例を挙げる。上述したように、中央位置付近とはフロント側の全てのスピーカ部のうち両端のスピーカ部間において中央位置から所定割合の距離まで（例えば両端の距離Ｌに対して０.３Ｌなど）として定義できる。所定の割合が０.３倍である例について説明する。まず、距離Ｌの線分と聴取位置（例えばスイートスポットの中心）から距離Ｌの線分にひいた垂線（位置関係６０の例では受聴者６３からスピーカ６１Ｌ／６１Ｒの中点にひいた線）と、上記距離Ｌの線分と上記垂線との交点（位置関係６０の例ではスピーカ６１Ｌ／６１Ｒの中点）から上記距離Ｌの線分の方向に沿って０.１５Ｌの距離だけ進んだ位置まで聴取位置からひいた線がなす見開き角をφとする。
【００９９】
ｋ番目の線スペクトルにおける相関信号の合成音像の方向θ（ｋ）が見開き角φ以内の角度である場合、その線スペクトルの相関信号が抑圧すべき（減少させるべき）信号であると判断すればよい。一方で、上記見開き角φより大きい角度である場合、減少させるべき信号ではないと判断すればよい。無論、所定割合は０.３倍に限らず、強調したい成分等に応じて適宜決めておけばよい。
【０１００】
また、上記ユーザ入力値としては、上記中央位置付近に定位する音を抑圧するように設定できる範囲を制限しておけばよい。例えば、ユーザが上記中央位置付近を設定する（上記所定割合を設定する）ことで、その中央付近に向いた方向であると推定された相関信号を抑圧すべき信号と判断されるようにしておけばよい。
【０１０１】
しかし、上記デフォルト値について説明したように、どの方向の相関信号であっても、特定成分強調部に入力された左チャネル信号と右チャネル信号の両方に含まれる信号成分であると言える。よって、基本的には上記ユーザ入力値としてどの方向の相関信号を抑圧したとしても、少なくとも上記片方にしか含まれない信号成分を相対的に強調することはでき、また全ての方向の相関信号を抑圧した場合には上記片方にしか含まれない信号成分をより強調することができる。
【０１０２】
次に、ゲイン調整部３５ａ〜３５ｃでの処理について説明する。ゲイン調整部３５ａ〜３５ｃでは、各入力信号に対してゲイン係数を乗算することになるが、この乗算処理についても、基本的に特許文献３，４に記載のように、ゲイン係数のデフォルト値に基づき自動的に実行するか、もしくはゲイン係数のユーザ入力値に基づいて実行すればよい。このように、デフォルト値やユーザ入力値としては、方向を決める値の他に、相関信号の減少の度合いを決めるゲイン係数及び／または無相関信号の増加の度合いを決めるゲイン係数も存在する。以下、この乗算処理について簡単に説明する。
【０１０３】
ゲイン調整部３５ｂは、相関信号処理部３４から出力された相関信号に対し、相関信号の減少の程度（減少の度合い、つまり相関信号を減少させる度合いであって抑圧の度合いに対応する）を示すゲイン係数（デフォルト値またはユーザ入力値）に基づき、スケーリング処理（ゲイン係数乗算処理）を行う。減少の度合いを示す値としては、例えば０以上で１より小さい値とし、０より大きくなるに連れて減少の度合いが小さくなるようにすればよい。
【０１０４】
上述した相関信号減少部は、信号分離抽出部３３で分離された信号に対し、所定の空間的範囲に合成される音像に関わる相関信号中の成分を減少させる部位であり、相関信号処理部３４とこのゲイン調整部３５ｂで例示できる。相関信号中の成分とは、この例で言うと相関信号のｋ番目の成分（ｋ番目の線スペクトルについての相関信号）を指す。信号処理部１２ａは、このような相関信号減少部を備えることにより、所定の空間的範囲に合成される音像を抑圧することができる。
【０１０５】
ゲイン調整部３５ａは、信号分離抽出部３３から出力された左チャネル無相関信号に対し、その信号の増加の程度（左チャネルから分離される無相関信号の抽出（増加）の度合い）を示すゲイン係数（デフォルト値またはユーザ入力値）に基づき、スケーリング処理（ゲイン係数乗算処理）を行う。同様に、ゲイン調整部３５ｃは、信号分離抽出部３３から出力された右チャネル無相関信号に対し、その信号の増加の程度を示すゲイン係数（デフォルト値またはユーザ入力値）に基づき、スケーリング処理（ゲイン係数乗算処理）を行う。増加の度合いを示す値としては、例えば１より大きい値とし、大きくなるに連れて増加度合が大きいようにすればよい。
【０１０６】
上述した無相関信号増加部は、信号分離抽出部３３で分離された信号に対し、所定の空間的範囲に合成される音像に関わる無相関信号中の成分を増加させる部位であり、ゲイン調整部３５ａ，３５ｃで例示できる。無相関信号中の成分とは、この例で言うと無相関信号のｋ番目の成分（ｋ番目の線スペクトルについての無相関信号）を指す。信号処理部１２ａは、このような無相関信号増加部を備えることにより、所定の空間的範囲に合成される音像を抑圧することができる。
【０１０７】
ここで、無相関信号は全て、特定成分強調部に入力された左チャネル信号と右チャネル信号の両方に含まれる信号成分ではなく、それらの片方にしか含まれない信号成分であると言える。よって、基本的にはゲイン調整部３５ａ，３５ｃのゲイン係数を１より大きくしておき（一方は１でもよい）、且つゲイン調整部３５ｂのゲイン係数を１以下にしておくだけで、少なくとも上記片方にしか含まれない信号成分を上記両方に含まれる信号成分に対して相対的に強調することはできる。
【０１０８】
また、信号処理部１２ａは、上述の相関信号減少部と無相関信号増加部のいずれかを備えていればよいが、双方を設けることで、所定の空間的範囲に合成される音像の抑圧できるだけでなく、その音像の抑圧についての受聴者の相対的な受聴感を、無相関信号の増加により高めることができる。
【０１０９】
また、主に相関信号について方向を推定した例を挙げたが、全ての方向の相関信号を抑圧することで上記片方にしか含まれない信号成分をより強調できることを説明したように、単純に、無相関信号が臨場感を表し、相関信号が人間の音声を表すと捉えて処理を行ってもよい。
【０１１０】
具体的に説明すると、本実施形態のように臨場感を向上させるために、左右の無相関信号のみそのままを出力し相関信号を出力しないようにしてもよい。図５で説明すると、ゲイン調整部３５ａ及び／またはゲイン調整部３５ｃのゲイン係数を１とする（あるいはそれらの部位３５ａ，３５ｃを設けないようにする）と共に、図５の構成例に対して、相関信号処理部３４及びゲイン調整部３５ｂを設けないようにするか、あるいは図５の構成例においてゲイン調整部３５ｂのゲイン係数を０にすればよい。
【０１１１】
また、本実施形態のように臨場感を向上させるために、左右の無相関信号のみのゲインを上げ信号分離抽出部３３から出力されたままの相関信号を加算して出力するようにしてもよい。図５で説明すると、ゲイン調整部３５ａ及び／またはゲイン調整部３５ｃのゲイン係数を１より大きくしておくと共に、図５の構成例に対し、相関信号処理部３４及びゲイン調整部３５ｂを設けず、信号分離抽出部３３から出力された相関信号をそのまま合成部３６に出力させるようにしておけばよい。
【０１１２】
引き続き図５の構成例について説明する。合成部３６は、上述したように、ゲイン調整部３５ａ，３５ｂ，３５ｃからの出力を全て合成（加算）し、モノラル信号として、離散フーリエ逆変換部３７に出力する。もしくは、合成部３６は、ゲイン調整部３５ａ，３５ｂ，３５ｃからの出力を、左右のチャネル毎に全て合成し、チャネル毎の再割り当て後の信号として、離散フーリエ逆変換部３７に出力する。
【０１１３】
左右のチャネル毎に合成する場合には、特許文献３，４に記載のように、再び数式(31)として利用した立体音響におけるサインの法則を用い、左右のチャネルからの出力の電力の合計が元の相関信号の電力と等しくなるようなスケーリング係数を用いて正規化を行い、相関信号を左右のチャネルに振り分けることが望ましい。
【０１１４】
以上のようにして、ｋ番目の線スペクトルにおける相関信号の抑圧及び／または無相関信号の増圧の処理後の再割り当てが行われる。モノラル信号の場合の再割り当ては、上述したように、モノラル信号として、ゲイン調整部３５ａ，３５ｂ，３５ｃからの出力を全て合成（加算）することでなされる。一方、チャネル毎の再割り当ては、左チャネルについて、ゲイン調整部３５ａ，３５ｂによりゲイン係数とスケーリング係数が乗算されることで割り当てられた信号を合成部３６で合成し、右チャネルについて、ゲイン調整部３５ｂ，３５ｃによりゲイン係数とスケーリング係数が乗算されることで割り当てられた信号を合成部３６で合成することでなされる。その結果、左右チャネルに対する周波数領域の出力音声信号ＹＬ（ｋ）、ＹＲ（ｋ）が求まり、合成部３６はそれらの信号を離散フーリエ逆変換部３７に出力する。
【０１１５】
このような再割り当てを全ての線スペクトルについて行う。例えば、２５６点の離散フーリエ変換を行った場合は１〜１２７番目の線スペクトルまで、５１２点の離散フーリエ変換を行った場合は１〜２５５番目の線スペクトルまで、セグメントの全点（１０２４点）について離散フーリエ変換を行った場合は１〜５１１番目の線スペクトルまで、となる。
【０１１６】
離散フーリエ逆変換部３７での処理について説明する。離散フーリエ逆変換部３７は、合成部３６から出力された出力チャネルの信号（モノラル信号、あるいは左右の各音声信号）を離散フーリエ逆変換することによって、時間領域の出力音声信号を求める。つまり、モノラル信号の場合の出力音声信号をｙ′Ｍ（ｍ）、ステレオ信号の場合の出力音声信号をｙ′Ｌ（ｍ）、ｙ′Ｒ（ｍ）とすると、ＤＦＴ−１を離散フーリエ逆変換を表す記号として、それぞれ次の式(32)または式(33)を求める。
ｙ′Ｍ（ｍ）＝ＤＦＴ−１（ＹＭ（ｋ））                        (32)
ｙ′Ｌ（ｍ）＝ＤＦＴ−１（ＹＬ（ｋ））
ｙ′Ｒ（ｍ）＝ＤＦＴ−１（ＹＲ（ｋ））                        (33)
【０１１７】
ここで、数式(2)、(3)で説明したように、離散フーリエ変換した信号は、窓関数乗算後の信号であったため、逆変換して得られた信号ｙ′Ｍ（ｍ）やｙ′Ｌ（ｍ）及びｙ′Ｒ（ｍ）も窓関数が乗算された状態になっている。したがって、後処理部３８は、そうして得られた信号に、数式(1)に示す窓関数を再度乗算し、１つ前に処理したセグメントの先頭から１／４セグメント長ずつずらしながら出力バッファに加算していくことにより変換後のデータを得る。
【０１１８】
より具体的に説明すると、まず、離散フーリエ変換を行う前にＨａｎｎ窓を演算している。Ｈａｎｎ窓の両端点の値は０であるため、もし離散フーリエ変換後、どのスペクトル成分も値を変更せず、再び離散フーリエ逆変換を行えば、そのセグメントの両端点は０となり、セグメント間の不連続点は発生しない。しかし実際は、離散フーリエ変換後の周波数領域において、上述したように各スペクトル成分を変更するため、離散フーリエ逆変換後のセグメントの両端点は０とならず、セグメント間の不連続点が発生する。
【０１１９】
したがって、後処理部３８は、その両端点を０にするため、前述したように、再度Ｈａｎｎ窓を演算する。これにより、両端点が０となること、つまり不連続点が生じないことが保証される。より具体的には、離散フーリエ逆変換後の音声信号のうち、処理セグメントの音声信号に対し、再びＨａｎｎ窓関数を乗算し、処理セグメントの長さの１／４だけずらして、前の処理セグメントの音声信号に加算することにより、離散フーリエ逆変換後の音声信号から波形の不連続点を除去する。ここで、前の処理セグメントとは、以前の処理セグメントであって、実際には１／４ずつずらすため、１つ前、２つ前、及び３つ前の処理セグメントを指す。その後は、前述したように、２回目のＨａｎｎ窓関数乗算処理後の処理セグメントに対し、３／２の逆数である２／３を乗じれば、元の波形が完全に復元できる。無論、この２／３の乗算を加算対象の処理セグメントに対して施してから、ずらし及び加算を実行してもよい。また、この２／３を乗算する処理については実行しなくても、振幅が大きくなるだけであるので構わない。
【０１２０】
なお、例えば、読み込みを半セグメント長ずつずらしながら行った場合には、１つ前に処理したセグメントの先頭から半セグメント長ずつずらしながら出力バッファに加算していくことにより変換後のデータを得ればよく、この場合には上記両端点が０となること（不連続点が生じないこと）が保証されないが、何らかの不連続点除去処理を施せばよい。この場合の不連続点除去処理の詳細については、後処理部３８が、例えば２回目の窓関数演算を施さずに特許文献２に記載の不連続点除去処理を採用するなどすればよい。
【０１２１】
このようにして、後処理部３８は、ノイズ除去処理を施し、追加のスピーカ機器２がステレオ再生可能な場合にはモノラル信号をそのまま左右のチャネルとして出力する処理などを施し、処理後の信号を無線送信部１３に出力する。モノラル信号をそのまま左右のチャネルで使用する代わりに、一方のチャネルの信号としてそのモノラル信号をそのまま使用し、他方のチャネルの信号としてそのモノラル信号の位相を反転させたものを使用するようにしてもよい。
【０１２２】
以上のように、信号処理部１２ａでは、左右のデジタル信号から、相関信号と左右の無相関信号を分離し、無相関信号のゲインを高くあるいは相関信号のゲインを低くし（またはその双方の処理を行い）、それらを加算することによって背景音が強調されたモノラル信号またはステレオ信号が生成される。モノラル信号の場合には、後処理部３８での最後の処理として、そのモノラル信号を左右の音声信号として出力するか、もしくはモノラル信号そのままを左チャネルに、位相を反転させたものを右チャネルに出力する。
【０１２３】
次に、図３の無線送信機１における信号処理部１２の他の構成例について、図７を参照しながら説明する。図７で例示する信号処理部１２ｂは、図５の信号処理部１２ａに比べ簡易な構成であり、減算部７１、加算部７２、ゲイン調整部７３ａ，７３ｂ、及び加算部７４で構成される。
【０１２４】
信号処理部１２ｂには、Ａ／Ｄコンバータ１１から左右の音声信号が入力される。減算部７１は、その左右の音声信号から差分信号を算出し、ゲイン調整部７３ａに出力する。加算部７２は、その左右の音声信号から加算信号を算出し、ゲイン調整部７３ｂに出力する。ゲイン調整部７３ａは、入力された差分信号にゲイン係数（デフォルト値またはユーザ入力値）を乗算し、加算部７４に出力する。ゲイン調整部７３ｂは、入力された加算信号にゲイン係数（デフォルト値またはユーザ入力値）を乗算し、加算部７４に出力する。加算部７４では、入力された２つの信号を加算して無線送信部１３に出力する。
【０１２５】
ここで、ゲイン調整部７３ｂで加算信号に乗算するゲイン係数は、ゲイン調整部７３ａで差分信号に乗算するゲイン係数より小さい（例えば差分信号のゲイン係数の１／１０）ものとする。このように２つのゲイン係数を決めることでも、上記強調処理Ａを実現すること、つまり特定成分強調部に入力された左チャネル信号と右チャネル信号の両方に含まれる信号成分に対し、それらの片方にしか含まれない信号成分を強調することができる。
【０１２６】
これにより、加算部７４から出力された音声信号は、背景音が強調された信号となる。実際、通常のスポーツ番組などでは、アナウンサーの実況音声は左右チャンネルに同じレベルで含まれており、歓声やスポーツ会場場内アナウンス音声などは、ステレオ収録された音がそのまま左右チャンネルに含まれているため、以上のような処理を行うことにより、背景音のみを強調することが可能となる。
【０１２７】
以上のように、図５で例示したような相関・無相関信号の分離を含む強調処理、図７で例示したような単純な加減算による強調処理のいずれの強調処理においても、強調している信号は、ステレオ信号における左チャネル信号と右チャネル信号の片方にのみ含まれる信号と言える。ここで、信号間に時間的ずれ（位相のずれ）があれば、それらの信号は同じ信号とは見做さないものとする。
【０１２８】
図５の構成例の信号処理部１２ａや図７の構成例の信号処理部１２ｂにより、このようにして出力された背景音が強調された信号は、追加のスピーカ機器２に送信され、最終的に追加のスピーカ機器２のスピーカ部２５から出力されることになる。
【０１２９】
例えば、追加のスピーカ機器２は、信号処理部２２で音質調整を行うＩＩＲ（Infinite Impulse Response）フィルタなどによる演算を施した上で、スピーカ部２ｂから音を出力すればよい。図２の例では、各スピーカ部２ｂは照明の両脇から横に出ており、下面の視聴者方向に対して直接、音を出力することができるため、反射音などの間接音を抑えることが可能であり、遮蔽物の回折が起きないため、周波数特性の乱れが低減された高音質の音声再生が可能となる。
【０１３０】
以上、本実施形態によれば、このような処理により、天井または壁に設置する追加のスピーカ機器２を使用して、臨場感を向上させることが可能になる。つまり、視聴者にとって、テレビ装置３からは通常の音声が、天井や壁にある追加のスピーカ機器２からは背景音が強調された音が聞こえるため、例えば実況アナウンス音声の音像がテレビ装置３の中央付近に定位し、強調された背景音がテレビ装置３の中央付近以外に定位するかあるいはどの位置にも定位しないため、視聴者は高い臨場感でスポーツ番組を観戦することが可能となる。
【０１３１】
また、本実施形態では、テレビ装置３からの出力音声と追加のスピーカ機器２からの出力音声との時間のずれが、効果を低減させる可能性がある。このため、例えば、テレビ装置３から出力される音声信号を、無線通信による遅延量やスピーカ機器３ｂと視聴者との距離及び追加のスピーカ機器２と視聴者との距離を考慮し、一定時間（例えば数百ミリ秒）遅延させるようにして、その時間ずれを少なくすることが望ましい。
【０１３２】
（第２の実施形態）
以下、本発明の第２の実施形態として、ニュース番組やドラマ番組を視聴するなどの状況において、人間の音声がよく聞き取れるように音を再生する処理について説明する。また、以下でも上記特定成分強調部が図３の信号処理部１２に含まれるものとして信号処理部１２の具体例を説明するが、代わりにソース側信号処理部または信号処理部２２に含まれるように構成した場合についても同様である。また、本実施形態について、第１の実施形態との相違点を中心に説明し、同様の点についてはその説明を省略する。
【０１３３】
本実施形態における特定成分強調部は、入力される音声信号が右チャネル信号と左チャネル信号からなるステレオ信号であることを前提とし、次の強調処理Ｂを行う。上記の強調処理Ｂとは、特定成分強調部に入力された音声信号のうち右チャネル信号と左チャネル信号の両方に含まれる信号成分を強調する処理を指す。ただし、上述したように、本発明における特定成分強調部に入力される音声信号はステレオ信号に限ったものではない。
【０１３４】
特に、上記強調処理Ｂは、特定成分強調部に入力された音声信号のうちフロント側にある複数のスピーカ部（図１の例ではスピーカ機器３ｂそのもの）の配列方向において中央位置付近に定位する音の音声信号を強調する処理としてもよい。中央位置付近とは、上述した通り、例えばフロント側の全てのスピーカ部のうち両端のスピーカ部間において中央位置から所定割合の距離まで（例えば両端の距離Ｌに対して０.３Ｌなど）として定義できる。所定割合は、強調したい成分に応じて決めればよい。このように中央位置付近に定位する音の音声信号を強調することで、上記両方に含まれる信号成分のうち全部ではなく一部を強調することができる。
【０１３５】
本実施形態における信号処理部１２の一例として、図５で例示する信号処理部１２ａが挙げられる。本実施形態では、第１の実施形態の音声処理部分について、例えば、図５の相関信号成分のゲイン係数と無相関信号成分のゲイン係数を入れ替えることによって実現できる。
【０１３６】
この点について、簡単に説明する。本実施形態における信号処理部１２ａは、複数のスピーカによって合成される音像群から所定の空間的範囲に合成される音像のみを増圧（抽出して増圧）する。なお、増圧する音像は、概念的に一つの音像として取り扱っているが、当然、音像群として定義付けることもできる。
【０１３７】
例えば、信号処理部１２ａは、得られた２チャネル信号を相関信号と無相関信号に分離し、後述する相関信号増加部により相関信号について増圧度合を調整する。その代替処理として、信号処理部１２ａは、後述する無相関信号減少部により無相関信号について抑圧の度合を調整するようにしてもよい。さらに、双方の処理が可能なように信号処理部１２ａを構成してもよい。いずれの構成においても人間の音声を聞き取り易くすることができる。そのような処理のために、信号処理部１２ａは、次の信号分離抽出部３３と、相関信号増加部及び／または無相関信号減少部を有する。
【０１３８】
前処理部３１及び信号分離抽出部３３の処理は第１の実施形態と同様である。本実施形態における相関信号処理部３４は、相関信号の合成音像の方向に基づいて合成音像の増圧度合（ゲイン係数に相当）を決定する。その前処理として、線スペクトル毎に推定した相関信号によって生成される合成音像の方向を推定する。この推定処理については、図６に基づき説明した通りである。次に、このようにして方向が推定された相関信号が、増圧すべき信号であるか（すなわち上記所定の空間的範囲に合成される音像に関わる相関信号であるか）否かを判断する。上述した通り、この判断については、デフォルト値に基づき自動的に実行するか、もしくはユーザが入力した値（ユーザ入力値）に基づいて実行すればよい。
【０１３９】
上記強調処理Ｂでは、人間の音声を聞き取り易くするためにフロント側にある複数のスピーカ部の配列方向において中央位置付近に定位する音を強調することから、上記デフォルト値としては、その中央位置付近に定位する音を増圧するような値を設定する必要がある。
【０１４０】
しかし、どの方向の相関信号であっても、特定成分強調部に入力された左チャネル信号と右チャネル信号の両方に含まれる信号成分であると言える。つまり、相関信号は、全て上記両方に含まれる信号成分であると言え、それらの片方にしか含まれない信号成分ではないと言える。よって、基本的には上記デフォルト値としてどの方向の相関信号を増圧したとしても、少なくとも上記両方に含まれる信号成分を相対的に強調することはできる。また、全ての方向の相関信号を増圧した場合には、上記両方に含まれる信号成分をより強調することができる。
【０１４１】
上記デフォルト値として、特定成分強調部に入力された左チャネル信号と右チャネル信号の両方に含まれる信号成分のうち一部を増圧するような値を設定する一例を挙げる。上記中央位置付近の定義等については第１の実施形態で説明した通りである。ｋ番目の線スペクトルにおける相関信号の合成音像の方向θ（ｋ）が見開き角φ以内の角度である場合、その線スペクトルの相関信号が増圧すべき（増加させるべき）信号であると判断すればよい。一方で、上記見開き角φより大きい角度である場合、増加させるべき信号ではないと判断すればよい。
【０１４２】
また、上記ユーザ入力値としては、上記中央位置付近に定位する音を増圧するように設定できる範囲を制限しておけばよい。例えば、ユーザが上記中央位置付近を設定する（上記所定割合を設定する）ことで、その中央付近に向いた方向であると推定された相関信号を増圧すべき信号と判断されるようにしておけばよい。
【０１４３】
しかし、上記デフォルト値について説明したように、どの方向の相関信号であっても、特定成分強調部に入力された左チャネル信号と右チャネル信号の両方に含まれる信号成分であると言える。よって、基本的には上記ユーザ入力値としてどの方向の相関信号を増圧したとしても、少なくとも上記両方に含まれる信号成分を相対的に強調することはでき、また全ての方向の相関信号を増圧した場合には上記両方に含まれる信号成分をより強調することができる。
【０１４４】
次に、本実施形態におけるゲイン調整部３５ａ〜３５ｃでの処理について説明する。ゲイン調整部３５ａ〜３５ｃでは、各入力信号に対してゲイン係数（デフォルト値またはユーザ入力値）を乗算することになる。このように、デフォルト値やユーザ入力値としては、方向を決める値の他に、相関信号の増加の度合いを決めるゲイン係数及び／または無相関信号の減少の度合いを決めるゲイン係数も存在する。以下、この乗算処理について簡単に説明する。
【０１４５】
ゲイン調整部３５ｂは、相関信号処理部３４から出力された相関信号に対し、相関信号の増加の程度（増加の度合い）を示すゲイン係数（デフォルト値またはユーザ入力値）に基づき、スケーリング処理（ゲイン係数乗算処理）を行う。増加の度合いを示す値としては、例えば１より大きい値とし、大きくなるに連れて増加度合が大きいようにすればよい。上述した相関信号増加部は、信号分離抽出部３３で分離された信号に対し、所定の空間的範囲に合成される音像に関わる相関信号中の成分を増加させる部位であり、相関信号処理部３４とこのゲイン調整部３５ｂで例示できる。
【０１４６】
ゲイン調整部３５ａは、信号分離抽出部３３から出力された左チャネル無相関信号に対し、その信号の減少の程度（左チャネルから分離される無相関信号の減少の度合い）を示すゲイン係数（デフォルト値またはユーザ入力値）に基づき、スケーリング処理（ゲイン係数乗算処理）を行う。同様に、ゲイン調整部３５ｃは、信号分離抽出部３３から出力された右チャネル無相関信号に対し、その信号の減少の程度を示すゲイン係数（デフォルト値またはユーザ入力値）に基づき、スケーリング処理（ゲイン係数乗算処理）を行う。減少の度合いを示す値としては、例えば０以上で１より小さい値とし、０より大きくなるに連れて減少の度合いが小さくなる（０に近い程、減少度合が大きくなる）ようにすればよい。上述した無相関信号減少部は、信号分離抽出部３３で分離された信号に対し、所定の空間的範囲に合成される音像に関わる無相関信号中の成分を減少させる部位であり、ゲイン調整部３５ａ，３５ｃで例示できる。
【０１４７】
ここで、無相関信号は全て、特定成分強調部に入力された左チャネル信号と右チャネル信号の両方に含まれる信号成分ではなく、それらの片方にしか含まれない信号成分であると言える。よって、基本的にはゲイン調整部３５ａ及び／またはゲイン調整部３５ｃのゲイン係数を１より小さくしておき（一方は１でもよい）、且つゲイン調整部３５ｂのゲイン係数を１以上にしておくだけで、少なくとも上記両方に含まれる信号成分を上記片方にしか含まれない信号成分に対して相対的に強調することはできる。
【０１４８】
また、本実施形態における信号処理部１２ａは、上述の相関信号増加部と無相関信号減少部のいずれかを備えていればよいが、双方を設けることで、所定の空間的範囲に合成される音像の増圧できるだけでなく、その音像の増圧についての受聴者の相対的な受聴感を、無相関信号の減少により高めることができる。
【０１４９】
また、主に相関信号について方向を推定した例を挙げたが、全ての方向の相関信号を増圧することで上記両方に含まれる信号成分をより強調できることを説明したように、単純に、無相関信号が臨場感を表し、相関信号が人間の音声を表すと捉えて処理を行ってもよい。
【０１５０】
具体的に説明すると、本実施形態のように人間の音声を聞き取り易くするために、相関信号のみそのままを出力し無相関信号を出力しないようにしてもよい。図５で説明すると、ゲイン調整部３５ｂのゲイン係数を１とする（あるいはゲイン調整部３５ｂを設けないようにする）と共に、図５の構成例に対して、ゲイン調整部３５ａ，３５ｃを設けないようにするか、あるいは図５の構成例においてゲイン調整部３５ａ，３５ｃのゲイン係数を０にすればよい。
【０１５１】
また、本実施形態のように人間の音声を聞き取り易くするために、相関信号のみのゲインを上げ信号分離抽出部３３から出力されたままの左右の無相関信号のそれぞれに加算して出力するようにしてもよい。図５で説明すると、ゲイン調整部３５ｂのゲイン係数を１より大きくしておくと共に、図５の構成例に対し、ゲイン調整部３５ａ及び／またはゲイン調整部３５ｃを設けず、信号分離抽出部３３から出力された左右の相関信号をそのまま合成部３６に出力させるようにしておけばよい。
【０１５２】
引き続き、本実施形態における図５の構成例について説明する。合成部３６の処理については第１の実施形態と同様であり、モノラル信号もしくはチャネル毎の再割り当て後の信号として、離散フーリエ逆変換部３７に出力すればよい。以上のようにして、ｋ番目の線スペクトルにおける相関信号の増圧及び／または無相関信号の減圧の処理後の再割り当てが行われる。離散フーリエ逆変換部３７及び後処理部３８の処理についても第１の実施形態と同様である。
【０１５３】
以上のように、本実施形態における信号処理部１２ａでは、左右のデジタル信号から、相関信号と左右の無相関信号を分離し、無相関信号のゲインを低くあるいは相関信号のゲインを高くし（またはその双方の処理を行い）、それらを加算することによって人間の音声が強調されたモノラル信号またはステレオ信号が生成される。
【０１５４】
次に、本実施形態で適用できる図３の無線送信機１における信号処理部１２の他の構成例について、図８及び図９を参照しながら説明する。図８は、本発明の第２の実施形態に係る音声再生システムにおける無線送信機の信号処理部の他の構成例を示すブロック図で、図９は、その信号処理部のさらに他の構成例を示すブロック図である。
【０１５５】
図８で例示する信号処理部１２ｃは、図５の信号処理部１２ａに比べ簡易な構成であり、加算部８１，８３，８４及びゲイン調整部８２で構成される。信号処理部１２ｃには、Ａ／Ｄコンバータ１１から左右の音声信号が入力される。加算部８１は、その左右の音声信号から加算信号を算出し、ゲイン調整部８２に出力する。ゲイン調整部８２は、入力された加算信号にゲイン係数（デフォルト値またはユーザ入力値）を乗算し、加算部８３及び加算部８４に出力する。ここで、ゲイン調整部８２で加算信号に乗算するゲイン係数は、０より大きければよいが、例えば０より大きく１以下などと制限しておいてもよい。
【０１５６】
加算部８３は、ゲイン調整部８２から入力された信号と左の音声信号とを加算して無線送信部１３に出力する。加算部８４は、ゲイン調整部８２から入力された信号と右の音声信号とを加算して無線送信部１３に出力する。本構成例のような処理でも上記強調処理Ｂを実現すること、つまり特定成分強調部に入力された左チャネル信号と右チャネル信号の片方にしか含まれない信号成分に対し、それらの両方に含まれる信号成分を強調することができる。
【０１５７】
加算部８１から出力された音声信号は、左右のチャネルに同じレベルで含まれているアナウンサーの音声やドラマの台詞音声などの人間の音声が強調された信号となる。加算部８３，８４から出力された左右の音声信号は、元の左右それぞれの音声信号に上記強調された信号を加算したものであるため、人間の音声信号成分が強調された信号となる。
【０１５８】
図９で例示する信号処理部１２ｄは、ホルマント強調処理部９１で構成される。ホルマント強調処理部９１には、Ａ／Ｄコンバータ１１から左右の音声信号が入力され、左右チャネルの音声ホルマントを強調する処理を実行する。本構成例のような処理でも上記強調処理Ｂを実現すること、つまり特定成分強調部に入力された左チャネル信号と右チャネル信号の片方にしか含まれない信号成分に対し、それらの両方に含まれる信号成分を強調することができる。
【０１５９】
以上のように、図５で例示したような相関・無相関信号の分離を含む強調処理、図８，図９で例示したような単純な加減算による強調処理のいずれの強調処理においても、強調している信号は、ステレオ信号における左チャネル信号と右チャネル信号の両方に含まれる信号（左右のレベルバランスは、同じであってもよいし、そのいずれか一方が大きくてもよい）と言える。ここで、信号間に時間的ずれ（位相のずれ）があれば、それらの信号は同じ信号とは見做さないものとする。
【０１６０】
図５の構成例の信号処理部１２ａや図８の構成例の信号処理部１２ｃや図９の構成例の信号処理部１２ｄにより、このようにして出力された人間の音声が強調された信号は、追加のスピーカ機器２に送信され、最終的に追加のスピーカ機器２のスピーカ部２５から出力されることになる。このとき、視聴者にとって、テレビ装置３からは通常の音声が、天井や壁にある追加のスピーカ機器２からは人間の音声が強調された音が聞こえる。
【０１６１】
以上、本実施形態によれば、このような処理により、天井または壁に設置する追加のスピーカ機器２を使用して、人間の音声を聞こえ易くすることが可能になる。より具体的に説明すると、人間の音声信号成分の音像のみが、スピーカ機器３ｂにより例えばテレビ装置３の中央付近に定位するだけでなく追加のスピーカ機器２によりそれ以外の場所にも強調された状態で定位する。一方、背景音はテレビ装置３の中央付近以外に定位するかどの位置にも定位しない。このように、追加のスピーカ機器２でも人間の音声を強調して出力することで、テレビ装置３のスピーカ機器３ｂから出力された音と追加のスピーカ機器２から出力された音の両方において、背景音と台詞の人間の音声とで定位する位置が異なるような状態になるため、音源の位置の差や音の周波数の差が強調されること（カクテルパーティ効果）によって、より強調されている方である人間の音声のみを聞き取り易くすることが可能となる。
【０１６２】
また、本実施形態でも、第１の実施形態と同様に、テレビ装置３から出力される音声信号を、一定時間遅延させるようにして、時間ずれを少なくすることが望ましい。
【０１６３】
（第３の実施形態）
以下、図１０を参照しながら、本発明の第３の実施形態として、第１の実施形態と第２の実施形態の双方の処理が可能な音声再生システムについて説明する。図１０は、本発明の第３の実施形態に係る音声再生システムにおける無線送信機の一構成例を示す外観図である。なお、本実施形態について、第１の実施形態及び第２の実施形態との相違点を中心に説明し、同様の点についてはその説明を省略する。
【０１６４】
本実施形態における無線送信機１の特定成分強調部は、上記強調処理Ａと上記強調処理Ｂとで、実行する処理を切り替えるスイッチ１０１を有する。図１０の例では、スイッチ１０１は、無線送信機１の上面に設けられている。本実施形態においても、上記特定成分強調部が図３の無線送信機１における信号処理部１２に含まれるものとして説明しているが、代わりにソース側信号処理部または信号処理部２２に含まれるように構成することもできる。
【０１６５】
また、スイッチ１０１は、図示するようなハードウェアスイッチに限ったものではなく、テレビ装置３等にユーザインターフェース画像を表示させて操作するようなスイッチであってもよい。本実施形態によれば、背景音を強調するか、人間の音声を強調するかを容易に切り替えることができる。
【０１６６】
（第４の実施形態）
以下、図１１を参照しながら、本発明の第４の実施形態について説明する。図１１は、本発明の第４の実施形態に係る音声再生システムの一構成例を示す外観図である。なお、本実施形態について、第１〜第３の実施形態との相違点を中心に説明し、同様の点についてはその説明を省略する。
【０１６７】
図１１で例示する音声再生システムは、図１の音声再生システムにおいてテレビ装置３の代わりに携帯音楽再生装置４が接続されたものである。本実施形態においても、特定成分強調部による強調処理を第１の実施形態と同様の強調処理Ａとすることにより、音楽コンテンツのボーカル以外の音を強調した音声を再生することができ、音楽コンテンツのカラオケ化が可能となる。特に、音楽コンテンツは、ボーカルとベースの音像が中央に定位し、それ以外の楽器音が左右方向の中央以外のいずれかの場所に定位することが多いため、効果は顕著である。
【０１６８】
無論、第２の実施形態と同様の強調処理Ｂを施すことで、逆にボーカルの音だけを強調した音声を再生することもできる。また、本実施形態でも第３の実施形態のようなスイッチにより強調処理Ａと強調処理Ｂとを切り替えることができる。
【０１６９】
このように、本発明に係る音声再生システムにおけるソース機器としては、第１の実施形態のようなテレビ装置に限らず、他の音声データ再生装置（または音声データ再生装置付きの装置）に適用できる。つまり、本発明でのソース機器としては、例えば、パーソナルコンピュータ（ＰＣ）や光ディスク再生装置、音楽再生機能付きの携帯情報端末（スマートフォンと呼ばれるものを含む携帯電話機等）、プロジェクタ、あるいは小型の音声処理専用装置など、音声データ再生装置や音声データ再生装置付きの装置が適用できる。また、この音声データ再生装置は、音声のみを取り扱う装置として構成することができるだけでなく、テレビ装置やプロジェクタ等で例示したように、映像の出力を伴う装置に組み込むこともできる。
【０１７０】
（第５の実施形態）
以上の第１〜第４の実施形態では、主にソース機器または無線送信機に特定成分強調部を設けた例を挙げ、特定成分強調部を追加のスピーカ機器側（信号処理部２２）に設けた例については補足的に説明した。本発明の第５の実施形態として、このような例について説明する。
【０１７１】
一例として図１〜図４を参照しながら説明する。本実施形態に係る音声再生システムは、ソース機器（テレビ装置３で例示）と複数のスピーカ部を有するソース側スピーカ機器（スピーカ機器３ｂで例示）とを備え、さらに、音声信号を無線で送信する無線送信機１と、ソース側スピーカ機器の他に天井または壁に設置するための追加のスピーカ機器２とを備えている。
【０１７２】
そして、追加のスピーカ機器２は、無線送信機１で送信された音声信号を無線で受信する無線受信部２１と、受信した音声信号のうち特定の音声信号成分を他の音声信号成分より強調する処理を行う特定成分強調部（信号処理部２２）と、その処理が施された後の信号が示す音声を出力するスピーカ部２ｂとを有する。
【０１７３】
本実施形態によれば、追加のスピーカ機器２を単独で流通させて、既存の音声再生システムに付加することができる。
【０１７４】
（その他）
例えば図３〜図５や図７〜図９で例示した信号処理部における各構成要素やソース機器の各構成要素など、本発明に係る音声再生システムにおけるソース機器、無線送信機、追加のスピーカ機器の各構成要素はいずれも、例えばマイクロプロセッサ（またはＤＳＰ：Digital Signal Processor）、メモリ、バス、インターフェイス、周辺装置などのハードウェアと、これらのハードウェア上にて実行可能なソフトウェアとにより実現できる。上記ハードウェアの一部または全部は集積回路／ＩＣ（Integrated Circuit）チップセットとして搭載することができ、その場合、上記ソフトウェアは上記メモリに記憶しておければよい。また、各構成要素の全てをハードウェアで構成してもよく、その場合についても同様に、そのハードウェアの一部または全部を集積回路／ＩＣチップセットとして搭載することも可能である。
【０１７５】
また、上述した様々な構成例における機能を実現するためのソフトウェアのプログラムコードを記録した記録媒体を、ソース機器、無線送信機、追加のスピーカ機器に接続された汎用コンピュータ等の装置に供給し、各機器のファームウェア（またはソフトウェア）として組み込むことにより、各機器内のマイクロプロセッサまたはＤＳＰによりプログラムコードが実行されることによっても、本発明の目的が達成される。この場合、ソフトウェアのプログラムコード自体が上述した様々な構成例の機能を実現することになり、このプログラムコード自体や、プログラムコードを記録した記録媒体（外部記録媒体や内部記憶装置）であっても、そのコードを制御側が読み出して実行することで、本発明を構成することができる。外部記録媒体としては、例えばＣＤ−ＲＯＭまたはＤＶＤ−ＲＯＭなどの光ディスクやメモリカード等の不揮発性の半導体メモリなど、様々なものが挙げられる。内部記憶装置としては、ハードディスクや半導体メモリなど様々なものが挙げられる。また、プログラムコードはインターネットからダウンロードして実行することや、放送波から受信して実行することもできる。
【０１７６】
以上、本発明に係る音声再生システムについて説明したが、処理の流れをフロー図で例示したように、本発明は、音声信号のソースとなるソース機器と、上記音声信号が示す音声を出力する複数のスピーカ部を有するソース側スピーカ機器と、無線送信機と、上記ソース側スピーカ機器の他に天井または壁に設置するための追加のスピーカ機器とを備えた音声再生システムにおける音声再生方法としての形態も採り得る。
【０１７７】
本発明に係る音声再生方法は、上記音声再生システムにおける音声再生方法であって、上記無線送信機または上記ソース機器に設けた特定成分強調部が、上記音声信号のうち特定の音声信号成分を他の音声信号成分より強調する処理を行うステップと、上記無線送信機が、上記特定成分強調部で処理後の信号を無線で送信するステップと、上記追加のスピーカ機器の無線受信部が、上記処理後の信号を無線で受信するステップと、上記追加のスピーカ機器のスピーカ部が、受信した上記処理後の信号が示す音声を出力するステップとを有する。その他の応用例については第１〜第４の実施形態に係る音声再生システムとして説明した通りであり、その説明を省略する。
【０１７８】
また、本発明に係る他の音声再生方法は、上記音声再生システムにおける音声再生方法であって、上記追加のスピーカ機器の無線受信部が、上記無線送信機で送信された上記音声信号を無線で受信するステップと、上記追加のスピーカ機器の特定成分強調部が、受信した上記音声信号のうち特定の音声信号成分を他の音声信号成分より強調する処理を行うステップと、上記追加のスピーカ機器のスピーカ部が、上記処理が施された後の信号が示す音声を出力するステップとを有する。その他の応用例については第５の実施形態に係る音声再生システムとして説明した通りであり、その説明を省略する。
【０１７９】
なお、上記プログラムコード自体は、換言すると、この音声再生方法をコンピュータに実行させるためのプログラムである。すなわち、本発明に係るプログラムは、上記無線送信機または上記ソース機器の制御コンピュータに、上記音声信号のうち特定の音声信号成分を他の音声信号成分より強調する処理を行うステップと、上記特定成分強調部で処理後の信号を無線で送信するステップとを実行させるためのプログラムと、上記追加のスピーカ機器の制御コンピュータに、上記処理後の信号を無線で受信するステップと、上記追加のスピーカ機器のスピーカ部から、受信した上記処理後の信号が示す音声を出力するステップとを実行させるためのプログラムとで構成される。その他の応用例については第１〜第４の実施形態に係る音声再生システムとして説明した通りであり、その説明を省略する。
【０１８０】
また、本発明に係る他のプログラムは、上記追加のスピーカ機器の制御コンピュータに、上記無線送信機で送信された上記音声信号を無線で受信するステップと、受信した上記音声信号のうち特定の音声信号成分を他の音声信号成分より強調する処理を行うステップと、上記追加のスピーカ機器のスピーカ部から、上記処理が施された後の信号が示す音声を出力するステップとを実行させるためのプログラムである。その他の応用例については第５の実施形態に係る音声再生システムとして説明した通りであり、その説明を省略する。
【０１８１】
以上説明したように、本発明に係る音声再生システムは、音声信号のソースとなるソース機器と、該音声信号が示す音声を出力する複数のスピーカ部を有するソース側スピーカ機器とを備えた音声再生システムであって、無線送信機と、前記ソース側スピーカ機器の他に天井または壁に設置するための追加のスピーカ機器とをさらに備え、前記無線送信機または前記ソース機器は、前記音声信号のうち特定の音声信号成分を他の音声信号成分より強調する処理を行う特定成分強調部を有し、前記無線送信機は、前記特定成分強調部で処理後の信号を無線で送信し、前記追加のスピーカ機器は、前記処理後の信号を無線で受信する無線受信部と、受信した前記処理後の信号が示す音声を出力するスピーカ部とを有することを特徴としたものである。これにより、天井または壁に設置するスピーカ機器を使用して、臨場感を向上させること、あるいは人間の音声を聞き取り易くすることが可能になる。
【０１８２】
また、本発明に係る音声再生システムは、音声信号のソースとなるソース機器と、該音声信号が示す音声を出力する複数のスピーカ部を有するソース側スピーカ機器とを備えた音声再生システムであって、前記音声信号を無線で送信する無線送信機と、前記ソース側スピーカ機器の他に天井または壁に設置するための追加のスピーカ機器とをさらに備え、前記追加のスピーカ機器は、前記無線送信機で送信された前記音声信号を無線で受信する無線受信部と、受信した前記音声信号のうち特定の音声信号成分を他の音声信号成分より強調する処理を行う特定成分強調部と、該処理が施された後の信号が示す音声を出力するスピーカ部とを有することを特徴としたものである。これにより、天井または壁に設置するスピーカ機器を使用して、臨場感を向上させること、あるいは人間の音声を聞き取り易くすることが可能になる上に、追加のスピーカ機器を単独で流通させて、既存の音声再生システムに付加することができる。
【０１８３】
また、前記音声信号は、右チャネル信号と左チャネル信号からなるステレオ信号であり、前記特定成分強調部は、前記音声信号のうち前記右チャネル信号と前記左チャネル信号の片方にしか含まれない信号成分を強調する処理を行うようにしてもよい。これにより、天井または壁に設置するスピーカ機器を使用して、臨場感を向上させることが可能になる。
【０１８４】
また、前記音声信号は、右チャネル信号と左チャネル信号からなるステレオ信号であり、前記特定成分強調部は、前記音声信号のうち前記右チャネル信号と前記左チャネル信号の両方に含まれる信号成分を強調する処理を行うようにしてもよい。これにより、天井または壁に設置するスピーカ機器を使用して、人間の音声を聞き取り易くすることが可能になる。
【０１８５】
また、前記音声信号は、右チャネル信号と左チャネル信号からなるステレオ信号であり、前記特定成分強調部は、前記音声信号のうち前記右チャネル信号と前記左チャネル信号の片方にしか含まれない信号成分を強調する処理と、前記音声信号のうち前記右チャネル信号と前記左チャネル信号の両方に含まれる信号成分を強調する処理とで、実行する処理を切り替えるスイッチを有するようにしてもよい。これにより、天井または壁に設置するスピーカ機器を使用して、臨場感を向上させること並びに人間の音声を聞き取り易くすることができ、それらを容易に切り替えることもできる。
【０１８６】
また、前記無線送信機は、前記ソース機器の内部に設けられているか、もしくは前記ソース機器に接続されているようにしてもよい。これにより、音声再生システムのシステム設計の自由度を増やすことができる。
【符号の説明】
【０１８７】
１…無線送信機、２…追加のスピーカ機器、２ａ…追加のスピーカ機器の本体、２ｂ，２５…スピーカ部、２ｃ…ボックス、２ｄ…プラグ、２ｅ…ジャック器具、３…テレビ装置、３ｂ…スピーカ機器、３ａ…表示部、４…携帯音楽再生装置、１１…Ａ／Ｄコンバータ、１２，１２ａ，１２ｂ，１２ｃ，１２ｄ…信号処理部、１３…無線送信部、２１…無線受信部、２２…追加のスピーカ機器側の信号処理部、２３…Ｄ／Ａコンバータ、２４…増幅器、３１…前処理部、３２…離散フーリエ変換部、３３…信号分離抽出部、３４…相関信号処理部、３５ａ，３５ｂ，３５ｃ，７３ａ，７３ｂ，８２…ゲイン調整部、３６…合成部、３７…離散フーリエ逆変換部、３８…後処理部、６０…位置関係、６１Ｌ，６１Ｒ…スピーカ、６２…合成音像、６３…受聴者、７１…減算部、７２，７４，８１，８３，８４…加算部、９１…ホルマント強調処理部、１０１…スイッチ。
【図１】
2015065551.tif 000015
【図２Ａ】
2015065551.tif 000016
【図２Ｂ】
2015065551.tif 000017
【図３】
2015065551.tif 000018
【図４】
2015065551.tif 000019
【図５】
2015065551.tif 000020
【図６】
2015065551.tif 000021
【図７】
2015065551.tif 000022
【図８】
2015065551.tif 000023
【図９】
2015065551.tif 000024
【図１０】
2015065551.tif 000025
【図１１】
2015065551.tif 000026